【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
可変長ダウンリンク送信時間間隔（ＴＴＩ）における１つまたは複数のダウンリンク基準信号を受信すること、ここにおいて、前記可変長ダウンリンクＴＴＩは、ダウンリンクシンボルの変数を備える、と、
チャネル状態情報（ＣＳＩ）レポートがいつ送信されることになるかを識別するために使用されることになる周期性およびオフセットを含むシグナリングを受信することと、
前記ダウンリンク基準信号のうちの１つまたは複数のためにＣＳＩを推定することと、
可変長アップリンクＴＴＩ中の前記ＣＳＩレポートにおける送信のために前記推定されたＣＳＩのうちの少なくとも一部を識別することと、
前記ＣＳＩレポートの送信のための開始シンボルがダウンリンクシンボルとして構成されると決定すること、ここにおいて、前記識別することは、前記開始シンボルに続く第１の利用可能なアップリンクシンボルとして前記ＣＳＩレポートの送信のための後続のアップリンクシンボルを識別することをさらに備える、と
を備える、方法。
【請求項２】
前記１つまたは複数のダウンリンク基準信号を前記受信することは、
前記ＣＳＩレポートがアップリンクシンボルのうちの１つまたは複数において物理アップリンク共有チャネル（ＰＵＳＣＨ）上で送信されることになるというインジケーションおよび前記アップリンクシンボルの変数を備えるアップリンク許可を受信することをさらに備える、
請求項１に記載の方法。
【請求項３】
前記シグナリングは、無線リソース制御（ＲＲＣ）シグナリングを備える、
請求項１に記載の方法。
【請求項４】
前記ＣＳＩレポートを送信することをスキップすることをさらに備える、
請求項１に記載の方法。
【請求項５】
前記識別することは、１つまたは複数の後続のダウンリンクシンボルにおいて受信された基準信号のための後続のＣＳＩレポートの送信のための後続のシンボルを識別することをさらに備える、
請求項４に記載の方法。
【請求項６】
物理アップリンク制御チャネル（ＰＵＣＣＨ）または物理アップリンク共有チャネル（ＰＵＳＣＨ）のうちの１つまたは複数上で前記ＣＳＩレポートを送信することをさらに備え、前記ＰＵＣＣＨまたはＰＵＳＣＨ上での前記送信は、ユーザ機器（ＵＥ）能力、前記ＵＥの無線通信リソース制御（ＲＲＣ）構成、または前記ＵＥが前記可変長アップリンクＴＴＩの間にＰＵＳＣＨデータを送信するために、アップリンクＵＬ許可を受信するかどうか、あるいはこれらの組み合わせのうちの少なくとも１つに基づいて決定される、
請求項１に記載の方法。
【請求項７】
ワイヤレス通信のための装置であって、
可変長ダウンリンク送信時間間隔（ＴＴＩ）における１つまたは複数のダウンリンク基準信号を受信するための手段、ここにおいて、前記可変長ダウンリンクＴＴＩは、ダウンリンクシンボルの変数を備える、と、
チャネル状態情報（ＣＳＩ）レポートがいつ送信されることになるかを識別するために使用されることになる周期性およびオフセットを含むシグナリングを受信するための手段と、
前記ダウンリンク基準信号のうちの１つまたは複数のためにＣＳＩを推定するための手段と、
可変長アップリンクＴＴＩ中の前記ＣＳＩレポートにおける送信のために前記推定されたＣＳＩのうちの少なくとも一部を識別するための手段と、
前記ＣＳＩレポートの送信のための開始シンボルがダウンリンクシンボルとして構成されると決定するための手段、ここにおいて、前記識別するための手段は、前記開始シンボルに続く第１の利用可能なアップリンクシンボルとして前記ＣＳＩレポートの送信のための後続のアップリンクシンボルを識別するように動作可能である、と
を備える、装置。
【請求項８】
前記１つまたは複数のダウンリンク基準信号を前記受信するための手段は、
前記ＣＳＩレポートがアップリンクシンボルのうちの１つまたは複数において物理アップリンク共有チャネル（ＰＵＳＣＨ）上で送信されることになるというインジケーションおよび前記アップリンクシンボルの変数を備えるアップリンク許可を受信するように動作可能である、
請求項７に記載の装置。
【請求項９】
前記シグナリングは、無線リソース制御（ＲＲＣ）シグナリングを備える、
請求項７に記載の装置。
【請求項１０】
前記ＣＳＩレポートを送信することをスキップするための手段をさらに備える、
請求項７に記載の装置。
【請求項１１】
物理アップリンク制御チャネル（ＰＵＣＣＨ）または物理アップリンク共有チャネル（ＰＵＳＣＨ）のうちの１つまたは複数上で前記ＣＳＩレポートを送信するための手段をさらに備え、前記ＰＵＣＣＨまたはＰＵＳＣＨ上での前記送信は、ユーザ機器（ＵＥ）能力、前記ＵＥの無線通信リソース制御（ＲＲＣ）構成、または前記ＵＥが前記可変長アップリンクＴＴＩの間にＰＵＳＣＨデータを送信するために、アップリンクＵＬ許可を受信するかどうか、あるいはこれらの組み合わせのうちの少なくとも１つに基づいて決定される、
請求項７に記載の装置。
【請求項１２】
ワイヤレス通信のための装置であって、
プロセッサと、
前記プロセッサと電子通信状態にあるメモリと、
前記メモリに格納されている命令と
を備え、前記命令は、
可変長ダウンリンク送信時間間隔（ＴＴＩ）における１つまたは複数のダウンリンク基準信号を受信すること、ここにおいて、前記可変長ダウンリンクＴＴＩは、ダウンリンクシンボルの変数を備える、と、
チャネル状態情報（ＣＳＩ）レポートがいつ送信されることになるかを識別するために使用されることになる周期性およびオフセットを含むシグナリングを受信することと、
前記ダウンリンク基準信号のうちの１つまたは複数のためにＣＳＩを推定することと、
可変長アップリンクＴＴＩ中の前記ＣＳＩレポートにおける送信のために前記推定されたＣＳＩのうちの少なくとも一部を識別することと、
前記ＣＳＩレポートの送信のための開始シンボルがダウンリンクシンボルとして構成されると決定することと
を前記装置に行わせるように前記プロセッサによって実行可能であり、前記命令は、前記開始シンボルに続く第１の利用可能なアップリンクシンボルとして前記ＣＳＩレポートの送信のための後続のアップリンクシンボルを識別することを行うようにさらに実行可能である、装置。
【請求項１３】
前記命令は、
前記ＣＳＩレポートがアップリンクシンボルのうちの１つまたは複数において物理アップリンク共有チャネル（ＰＵＳＣＨ）上で送信されることになるというインジケーションおよび前記アップリンクシンボルの変数を備えるアップリンク許可を受信すること
を前記装置に行わせるように前記プロセッサによって実行可能である、請求項１２に記載の装置。
【請求項１４】
前記シグナリングは、無線リソース制御（ＲＲＣ）シグナリングを備える、
請求項１２に記載の装置。
【請求項１５】
前記命令は、
前記ＣＳＩレポートを送信することをスキップすることを前記装置に行わせるように前記プロセッサによって実行可能である、
請求項１２に記載の装置。
【請求項１６】
前記命令は、
１つまたは複数の後続のダウンリンクシンボルにおいて受信された基準信号のための後続のＣＳＩレポートの送信のための後続のシンボルを識別することを前記装置に行わせるように前記プロセッサによって実行可能である、
請求項１２に記載の装置。
【請求項１７】
前記命令は、
物理アップリンク制御チャネル（ＰＵＣＣＨ）または物理アップリンク共有チャネル（ＰＵＳＣＨ）のうちの１つまたは複数上で前記ＣＳＩレポートを送信すること
を前記装置に行わせるように前記プロセッサによって実行可能であり、前記ＰＵＣＣＨまたはＰＵＳＣＨ上での前記送信は、ユーザ機器（ＵＥ）能力、前記ＵＥの無線通信リソース制御（ＲＲＣ）構成、または前記ＵＥが前記可変長アップリンクＴＴＩの間にＰＵＳＣＨデータを送信するために、アップリンクＵＬ許可を受信するかどうか、あるいはこれらの組み合わせのうちの少なくとも１つに基づいて決定される、
請求項１２に記載の装置。
【請求項１８】
ワイヤレス通信のためのコンピュータ実行可能コードを格納している非一時的なコンピュータ読み取り可能媒体であって、前記コードは、
可変長ダウンリンク送信時間間隔（ＴＴＩ）における１つまたは複数のダウンリンク基準信号を受信すること、ここにおいて、前記可変長ダウンリンクＴＴＩは、ダウンリンクシンボルの変数を備える、と、
チャネル状態情報（ＣＳＩ）レポートがいつ送信されることになるかを識別するために使用されることになる周期性およびオフセットを含むシグナリングを受信することと、
前記ダウンリンク基準信号のうちの１つまたは複数のためにＣＳＩを推定することと、
可変長アップリンクＴＴＩ中の前記ＣＳＩレポートにおける送信のために前記推定されたＣＳＩのうちの少なくとも一部を識別することと、
前記ＣＳＩレポートの送信のための開始シンボルがダウンリンクシンボルとして構成されると決定することと
を行うように実行可能であり、前記コードは、前記開始シンボルに続く第１の利用可能なアップリンクシンボルとして前記ＣＳＩレポートの送信のための後続のアップリンクシンボルを識別することを行うようにさらに実行可能である、非一時的なコンピュータ読み取り可能媒体。
【請求項１９】
前記コードは、
前記ＣＳＩレポートがアップリンクシンボルのうちの１つまたは複数において物理アップリンク共有チャネル（ＰＵＳＣＨ）上で送信されることになるというインジケーションおよび前記アップリンクシンボルの変数を備えるアップリンク許可を受信することをさらに実行可能である、
請求項１８に記載の非一時的なコンピュータ読み取り可能媒体。
【請求項２０】
前記シグナリングは、無線リソース制御（ＲＲＣ）シグナリングを備える、
請求項１８に記載の非一時的なコンピュータ読み取り可能媒体。
【請求項２１】
前記コードは、
前記ＣＳＩレポートを送信することをスキップすることをさらに実行可能である、
請求項１８に記載の非一時的なコンピュータ読み取り可能媒体。
【請求項２２】
前記コードは、
物理アップリンク制御チャネル（ＰＵＣＣＨ）または物理アップリンク共有チャネル（ＰＵＳＣＨ）のうちの１つまたは複数上で前記ＣＳＩレポートを送信することをさらに実行可能であり、前記ＰＵＣＣＨまたはＰＵＳＣＨ上での前記送信は、ユーザ機器（ＵＥ）能力、前記ＵＥの無線通信リソース制御（ＲＲＣ）構成、または前記ＵＥが前記可変長アップリンクＴＴＩの間にＰＵＳＣＨデータを送信するために、アップリンクＵＬ許可を受信するかどうか、あるいはこれらの組み合わせのうちの少なくとも１つに基づいて決定される、
請求項１８に記載の非一時的なコンピュータ読み取り可能媒体。